(57)【要約】【課題】乾式タイル施工において、タイルを長期的に安定して固定し、かつ改修時や解体時には容易にタイルを脱着できるようにする。【解決手段】タイル下端２２を受け支え建物躯体から一定距離以上離れるのを規制する上受け部７と、タイル上端２１側が建物躯体から一定距離以上離れるのを規制するように係合する下受け部６と、上受け部７と下受け部６とを支持し建物躯体に取り付けるレール本体４と、タイル上端２１の近傍を下受け部６の規制部５に向けてタイル裏面２６側から前に押し出す水平方向ばね部８とを備え、上受け部７と下受け部６と水平方向ばね部８及びレール本体４とが一体化されていることを特徴とする。【選択図】図１４
2020186637.tif 000002
【特許請求の範囲】
【請求項１】
タイル下端を受け支え建物躯体から一定距離以上離れるのを規制する上受け部と、タイル上端側が前記建物躯体から一定距離以上離れるのを規制する下受け部と、前記上受け部と前記下受け部とを支持し前記建物躯体に取り付けるレール本体と、前記タイル上端の近傍をタイル裏面側から前に押し出す水平方向ばね部とを備えることを特徴とするタイル取付用ブラケットレール。
【請求項２】
前記上受け部と前記下受け部と前記水平方向ばね部及び前記レール本体とは１枚のばね鋼板によって一体成形されていることを特徴とするタイル取付用ブラケットレール。
【請求項３】
前記下受け部には、前記タイル上端を押下して他のタイル取付用ブラケットの前記上受け部に前記タイル下端を密着させる水平方向ばね部を備えることを特徴とする請求項１または２記載のタイル取付用ブラケットレール。
【請求項４】
前記水平方向ばね部は、前記レール本体の一部を切り欠いて形成したばね性を有する爪あるいは前記レール本体とは別体のガスケットであることを特徴とする請求項１から３のいずれか１つに記載のタイル取付用ブラケットレール。
【請求項５】
前記水平方向ばね部は、前記上受け部のタイル下端を受け支える水平部の一部を切り欠いて形成した爪あるいは前記水平部とは別体のガスケットであり、前記タイル上端を押し下げるように付勢するものである請求項１から４のいずれか１つに記載のタイル取付用ブラケットレール。
【請求項６】
前記下受け部の規制部は、前記タイルの上端部の表面と接触する後側稜線部と上のタイルの下端部の裏面に接触する前側稜線部とを有し、
前記タイル上端部と上段の前記タイル下端部との間で、前後方向に広がって前記タイル上端部の表面と上段の前記タイル下端部の裏面とに同時に接触することによって、上のタイルと下のタイルとの間の前後への動きを弾力的に拘束すると共に前記水平方向ばね部との間で前記タイル上端部を弾力的に挟み付け、
上のタイルと下のタイルとの間の前後方向への動きを前記下規制部と前記上規制部と前記水平方向ばね部との協働によって弾力的に拘束させるものであることを特徴とする請求項１から５のいずれか１つに記載のタイル取付用ブラケットレール。
【請求項７】
請求項１〜４記載のタイル取付用ブラケットレールを建物躯体の外壁面の縦胴縁あるいはその他の下地材に上下方向に所定間隔をあけて水平方向に複数列取り付ける工程と、
前記タイル取付用ブラケットレールの前記上受け部の上にタイル下端を載せて上側の前記タイル取付用ブラケットレールの下受け部に水平方向ばね部を押しつぶしながらタイル上端を挟み込む工程とを有し、
前記下受け部の規制部と前記水平方向ばね部との間で前記タイルの上端部を弾力的に挟持して、摩擦抵抗により前記タイルが上に持ち上がることを抑制しつつ、上下の前記タイル取付用ブラケットレール間に前記タイルを係止させることを特徴とする乾式タイルの施工法。
【請求項８】
前記下受け部の規制部は、前記タイルの上端部の表面と接触する後側稜線部と上のタイルの下端部の裏面に接触する前側稜線部とを有し、上のタイルの下端部で前記前側稜線部が受け支えられた状態で前記後側稜線部をタイル上端部の前面に同時に押しつけ、上のタイルと下のタイルとの間の前後への動きを弾力的に拘束すると共に前記水平方向ばね部との間で前記タイル上端部を弾力的に挟み付け、上のタイルと下のタイルとの間の前後方向への動きを前記下規制部と前記上規制部と前記水平方向ばね部との協働によって弾力的に支持させるものであることを特徴とする請求項７記載の乾式タイルの施工法。
【請求項９】
前記後側稜線部が押し当てられる前記タイルの表面を前記後側稜線部が引っ掛かる粗面とし、前記後側稜線部の動きに逆らった抵抗を与えて前記タイルの持ち上がりの動きを制動することを特徴とする請求項７または８記載の乾式タイルの施工法。
【請求項１０】
建物躯体に上下方向に所定間隔をあけて水平方向に複数列取り付けられるタイル取付用ブラケットレールと、
前記タイル取付用ブラケットレールに上端部と下端部とが保持されるタイルとを含み、
前記タイル取付用ブラケットレールは前記タイルの下端を受け支え前記建物躯体から一定距離以上離れるのを規制する上受け部と、前記タイルの上端側が前記建物躯体から一定距離以上離れるのを規制する下受け部と、前記上受け部と前記下受け部とを支持し前記建物躯体に取り付けるレール本体と、前記タイル上端の近傍を前記タイル裏面側から前に押し出す水平方向ばね部とを備え、
前記下受け部の規制部と前記水平方向ばね部との間で前記タイルの上端付近が挟持されて弾力的に保持され、摩擦抵抗により前記タイルが上に持ち上がることを抑制しつつ、上下の前記タイル取付用ブラケットレール間に前記タイルを係止させて外壁面を構成することを特徴とする乾式タイル壁面構造。
【請求項１１】
前記タイルの上端部及び下端部に、前記取付用ブラケットレールの前記上受け部の規制部と前記下受け部の規制部とに引っ掛けられる部分を備え、前記タイル取付用ブラケットレールの前記上受け部の前記規制部と前記下受け部の前記規制部とを前記タイルの上端及び下端の前記引っ掛けられる部分に引っ掛けて、前記タイルを建物躯体に弾力的に保持させるものであることを特徴とする請求項１０記載の乾式タイル壁面構造。
【請求項１２】
前記タイル取付用ブラケットレールの前記下受け部の規制部は、前記タイルの上端部の表面と接触する後側稜線部と上のタイルの下端部の裏面に接触する前側稜線部とを有し、上のタイルの下端部で前記前側稜線部が受け支えられた状態で前記後側稜線部がタイル上端部の前面に同時に押しつけられ、上のタイルと下のタイルとの間の前後への動きを弾力的に拘束するように機能させると共に前記水平方向ばね部との間で前記タイル上端部を弾力的に挟み付け、上のタイルと下のタイルとの間の前後方向への動きを前記下規制部と前記上規制部と前記水平方向ばね部との協働によって弾力的に拘束することを特徴とする請求項１０または１１記載の乾式タイル壁面構造。
【発明の詳細な説明】
【技術分野】
【０００１】
本発明は、外壁材としてのタイルを建物躯体に金具を使って固定する乾式タイル工法及びそれに用いられる金具たるタイル取付用ブラケットレール並びに乾式タイル壁面構造に関するものである。
【背景技術】
【０００２】
近年、外壁用タイルの施工法として、窯業製のサイディングボードや爪を有する金属板製のタイル取付板等の下地材を建物の壁面に固着し、該下地材にタイルを係止したり或いは接着剤で止着して取り付ける乾式工法が知られている。
【０００３】
ところが、窯業製のサイディングボードは、耐用年数が２０〜３０年程度とタイルの耐用年数と比べて寿命が比較的短い上に、温度変化に伴う伸縮が大きいため、タイルが破損したり、剥離が発生する欠点がある。また、接着剤でタイルを固着する工法では、内部の点検が出来ず、住宅寿命の長期化に対応できないと共に、接着剤の劣化によって脱落が起こるなどの問題もある。
【０００４】
乾式工法におけるかかる問題点を解決するために、サイディングボードに代わってアルミニウム製の下地材を使用する工法（特許文献１）や、接着剤に代わって、金属製の弾性クリップや金属製の取付用ブラケットレールを使ってタイルを止着する工法（特許文献２）が提案されている。
【先行技術文献】
【特許文献】
【０００５】
【特許文献１】特許第３２６６２３６９号公報
【特許文献２】特許第４５６６２８０号公報
【発明の概要】
【発明が解決しようとする課題】
【０００６】
しかしながら、サイディングボードに代わるほどのアルミニウム製の下地材は、高価であり施工コストを上げる要因となると共に、温度変化に伴う伸縮が大きいため、サイディングボードと同様にタイルの破損や剥離の問題を有しており、耐久性の向上を図ることはできない。
【０００７】
また、接着剤に代わる金属製の取付用ブラケットレールと弾性クリップとの併用は、下地材であるサイディングボードの凹凸に対して金属製取付用ブラケットレールを取付け、その上で取付用ブラケットレールとタイルの上端との間に弓形の弾性クリップを変形させながらタイルを装入させるという煩わしいタイル取付作業を必要として、作業効率の悪いものとなってしまう問題がある。また、弾性クリップを押さえながら圧縮しつつ下地材に嵌め込まれた取付用ブラケットレールのダブテール状の斜面に係止させるため、弾性クリップの手による圧縮・挿入が作業者の指に大きな負担と痛みをもたらすことになる。
【０００８】
しかも、タイルとレール間の隙間に挿入した弾性クリップが地震時などに外れる可能性がある他、弾性クリップをタイルとレールの間の隙間に挿入し難いという欠点がある。弾性クリップによって上下方向に押しつけているだけなので、地震時などに建物躯体の外壁面から離れる方向の力を受けた際に弾性クリップの力が脱落させる方向に作用するため、タイルの中間部分裏面側に取付用ブラケットレールのダブテール状の斜面と係合するアリ溝（引っ掛かりとなる楔状の凸部）を形成する必要があり、使用するタイルの形状に制約を受ける。
【０００９】
本発明は、タイルを長期的に安定して固定し、かつ改修時や解体時には容易にタイルを脱着できる乾式タイル施工のためのタイル取付用ブラケットレール並びにそれを用いた乾式タイル施工法を提供することを目的とする。
【課題を解決するための手段】
【００１０】
かかる目的を達成するためのタイル取付用ブラケットレールは、タイル下端を受け支え建物躯体から一定距離以上離れるのを規制する上受け部と、タイル上端側が建物躯体から一定距離以上離れるのを規制する下受け部と、上受け部と下受け部とを支持し建物躯体に取り付けるレール本体と、タイル上端の近傍をタイル裏面側から前に押し出す水平方向ばね部とを備えるようにしている。
【００１１】
ここで、上受け部と下受け部と水平方向ばね部及びレール本体とは一体化され１枚のばね鋼板によって一体成形されていることが好ましい。また、下受け部には、タイル上端を押下して他のタイル取付用ブラケットの上受け部にタイル下端を密着させる鉛直方向ばね部を備えることが好ましい。
【００１２】
また、水平方向ばね部は、タイル取付用ブラケットレールのレール本体の一部を切り欠いて形成したばね性を有する爪あるいはレール本体とは別体のガスケットであることが好ましい。
【００１３】
また、鉛直方向ばね部は、上受け部のタイル下端を受け支える水平部の一部を切り欠いて形成した爪あるいは水平部とは別体のガスケットであり、タイル上端を押し下げるように付勢するものであることが好ましい。
【００１４】
また、下受け部の規制部は、タイルの上端部の表面と接触する後側稜線部と上のタイルの下端部の裏面に接触する前側稜線部とを有し、タイル上端部と上段のタイル下端部との間で、前後方向に広がってタイル上端部の表面と上段のタイル下端部の裏面とに同時に接触することによって、上のタイルと下のタイルとの間の前後への動きを弾力的に拘束すると共に水平方向ばね部との間でタイル上端部を弾力的に挟み付け、上のタイルと下のタイルとの間の前後方向への動きを下規制部と上規制部と水平方向ばね部との協働によって弾力的に拘束させるものであることが好ましい。
【００１５】
また、本発明にかかる乾式タイルの施工法は、請求項１〜４記載のタイル取付用ブラケットレールを建物躯体の外壁面の縦胴縁あるいはその他の下地材に上下方向に所定間隔をあけて水平方向に複数列取り付ける工程と、タイル取付用ブラケットレールの上受け部の上にタイル下端を載せて上側のタイル取付用ブラケットレールの下受け部に水平方向ばね部を押しつぶしながらタイル上端を挟み込む工程とを有し、下受け部の規制部と水平方向ばね部との間でタイルの上端部を弾力的に挟持して、摩擦抵抗によりタイルが上に持ち上がることを抑制しつつ、上下のタイル取付用ブラケットレール間にタイルを係止させるようにしている。
【００１６】
ここで、下受け部の規制部は、タイルの上端部の表面と接触する後側稜線部と上のタイルの下端部の裏面に接触する前側稜線部とを有し、上のタイルの下端部で前側稜線部が受け支えられた状態で後側稜線部をタイル上端部の前面に同時に押しつけ、上のタイルと下のタイルとの間の前後への動きを弾力的に拘束すると共に水平方向ばね部との間でタイル上端部を弾力的に挟み付け、上のタイルと下のタイルとの間の前後方向への動きを下規制部と上規制部と水平方向ばね部との協働によって弾力的に支持させるものであることが好ましい。
【００１７】
さらには、後側稜線部が押し当てられるタイルの表面を後側稜線部が引っ掛かる粗面とし、後側稜線部の動きに逆らった抵抗を与えてタイルの持ち上がりの動きを制動することが好ましい。
【００１８】
また、本発明にかかる乾式タイル壁面構造は、建物躯体に上下方向に所定間隔をあけて水平方向に複数列取り付けられるタイル取付用ブラケットレールと、タイル取付用ブラケットレールに上端部と下端部とが保持されるタイルとを含み、タイル取付用ブラケットレールはタイルの下端を受け支え建物躯体から一定距離以上離れるのを規制する上受け部と、タイルの上端側が建物躯体から一定距離以上離れるのを規制する下受け部と、上受け部と下受け部とを支持し建物躯体に取り付けるレール本体と、タイル上端の近傍をタイル裏面側から前に押し出す水平方向ばね部とを備え、下受け部の規制部と水平方向ばね部との間でタイルの上端付近が挟持されて弾力的に保持され、摩擦抵抗によりタイルが上に持ち上がることを抑制しつつ、上下のタイル取付用ブラケットレール間にタイルを係止させて外壁面を構成するようにしている。
【００１９】
ここで、タイルの上端部及び下端部に、取付用ブラケットレールの上受け部の規制部と下受け部の規制部とに引っ掛けられる部分を備え、タイル取付用ブラケットレールの上受け部の規制部と下受け部の規制部とをタイルの上端及び下端の引っ掛けられる部分に引っ掛けて、タイルを建物躯体に弾力的に保持させるものであることが好ましい。
【００２０】
さらに、タイル取付用ブラケットレールの下受け部の規制部は、タイルの上端部の表面と接触する後側稜線部と上のタイルの下端部の裏面に接触する前側稜線部とを有し、上のタイルの下端部で前側稜線部が受け支えられた状態で後側稜線部がタイル上端部の前面に同時に押しつけられ、上のタイルと下のタイルとの間の前後への動きを弾力的に拘束するように機能させると共に水平方向ばね部との間でタイル上端部を弾力的に挟み付け、上のタイルと下のタイルとの間の前後方向への動きを下規制部と上規制部と水平方向ばね部との協働によって弾力的に拘束することが好ましい。
【発明の効果】
【００２１】
請求項１記載のタイル取付用ブラケットレール及び乾式タイルの施工法並びに乾式タイル壁面構造によれば、タイル取付用ブラケットレールの上受け部でタイルの下端を受け支える一方、下受け部の規制部と水平方向ばね部でタイルの上端付近を保持しているので、接着剤による固定のように経時劣化することなく、タイルを長期的に安定して固定し、かつ改修時や解体時には容易にタイルをタイル取付用ブラケットレールから脱着できる。
【００２２】
しかも、タイル取付用ブラケットレールは建物躯体の下地あるいは胴縁にリベット止めやビス止めなどで固定することで簡単に取り付けでき、かつ上側の段のタイル取付用ブラケットレールの下受け部の規制部と水平方向ばね部の間にタイルの上端部分を挟み込みながら下側の段のタイル取付用ブラケットレールの上受け部にタイルの下端を嵌め込むだけでタイルを固定できるので、タイル取付け施工の作業性が改善される。
【００２３】
また、タイル取付用ブラケットレールに取り付けされたタイルは、タイル取付用ブラケットレールのタイルの裏面側から前に押し出す水平方向ばね部と下受け部の規制部とによって上部が常時挟み付けらて押え付けられているので、タイル面に外力が作用しても動き難く、タイル取付用ブラケットレールとの接触による騒音や雑音を発生しない優れた壁面を得ることができる。即ち、タイルの裏面側から前に押し出す機構によって、摩擦抵抗が発生して、タイルが上に持ち上がることを防止できる。
【００２４】
さらに、タイルの固定に接着剤を使用していないので、改修時や解体時にタイルをタイル取付用ブラケットレールから容易に脱着できるばかりでなく、タイル取付用ブラケットレールとタイルとの分別が容易となり再使用が可能となる。
【００２５】
本発明のタイル取付用ブラケットレールは、加えて、上からタイルを押し下げるための爪やガスケットなどの上から押さえる鉛直方向ばね部が設けられれば、さらに脱落し難くなり、安全性が高まる。  
【図面の簡単な説明】
【００２６】
【図１】本発明のタイル取付用ブラケットレールの一実施形態を示す側面図である。
【図２】同タイル取付用ブラケットレールの第二の実施形態を示す側面図である。
【図３】同タイル取付用ブラケットレールの第三の実施形態を示す側面図である。
【図４】同タイル取付用ブラケットレールの第四の実施形態を示す側面図である。
【図５】第四の実施形態にかかるタイル取付用ブラケットレールの斜視図である。
【図６】同タイル取付用ブラケットレールの第五の実施形態を示す側面図である。
【図７】第五の実施形態にかかるタイル取付用ブラケットレールの正面図である。
【図８】同タイル取付用ブラケットレールの第六の実施形態を示す側面図である。
【図９】同タイル取付用ブラケットレールの第七の実施形態を示す側面図である。
【図１０】同タイル取付用ブラケットレールの第八の実施形態を示す図で、（Ａ）は側面図、（Ｂ）はブラケットと爪との関係を示す斜視図である。
【図１１】同タイル取付用ブラケットレールの第九の実施形態を示す斜視図である。
【図１２】同タイル取付用ブラケットレールの第十の実施形態を示す側面図である。
【図１３】同タイル取付用ブラケットレールの第十一の実施形態を示す側面図である。
【図１４】図２のタイル取付用ブラケットレールを使った乾式タイル工法の一実施形態を示す説明図である。
【図１５】図９と図１３のタイル取付用ブラケットレールを組み合わせて使った乾式タイル工法の実施形態を示す説明図である。
【図１６】図６のタイル取付用ブラケットレールを使った乾式タイル工法の実施形態を示す説明図である。
【図１７】図１０のタイル取付用ブラケットレールを使った乾式タイル工法の実施形態を示す説明図である。
【図１８】図１０のタイル取付用ブラケットレールを異なるこば形状のタイルに使った乾式タイル工法の実施形態を示す説明図である。
【図１９】同タイル取付用ブラケットレールの第十二の実施形態と該レールを使った乾式タイル工法の実施形態を示す説明図である。
【図２０】同タイル取付用ブラケットレールの第十三の実施形態を示す図で、（Ａ）は側面図、（Ｂ）は正面図である。
【図２１】同タイル取付用ブラケットレールを使った乾式タイル工法の実施形態を示す説明図である。
【図２２】同タイル取付用ブラケットレールの第十四の実施形態を示す図で、（Ａ）は側面図、（Ｂ）は正面図である。
【図２３】同タイル取付用ブラケットレールを使った乾式タイル工法の実施形態を示す説明図である。
【図２４】同タイル取付用ブラケットレールを使った乾式タイル工法の他の実施形態を示す説明図である。
【発明を実施するための形態】
【００２７】
以下、本発明の構成を図面に示す実施形態に基づいて詳細に説明する。尚、本明細書において、前後左右の方向は建物躯体のタイルを貼り付ける外壁面を中心に定められるものとし、「前」又は「前方」とは外壁面から離れる方向であり、「裏面」又は「後方」とは外壁面に近づく方向である。また、水平方向とは外壁面の左右方向であり、上下方向とは外壁面に沿った鉛直方向である。さらに、上段または下段とは、水平に配列された複数列のタイル取付用ブラケットレールタイルの上下の配列の間に装入されるタイルを中心に定められるものとし、上側のタイル列を上段と、下側のタイル列を下段と呼ぶ。
【００２８】
図１に、本発明の乾式タイル工法に用いるタイル取付用ブラケットレールの実施形態の一例を示す。この実施形態にかかるタイル取付用ブラケットレール１は、少なくともタイル下端（即ち、下側のこば）２２を受け支え建物躯体から一定距離以上離れるのを規制する上受け部７と、タイル上端（即ち、上側のこば）２１側が建物躯体から一定距離以上離れるのを規制するように係合する下受け部６と、上受け部７と下受け部６とを支持し建物躯体に取り付けるレール本体４と、タイル上端２１の近傍をタイル裏面側から前に押し出す水平方向ばね部８とを備えるものであり、上受け部７と下受け部６とばね部８及びレール本体４とが一体化されている。
【００２９】
また、本発明のタイル取付用ブラケットレール及びそれを用いた乾式タイル施工法並びに乾式タイル壁面構造は、相決り（あいじゃくり）のタイル（上段のタイルと下段のタイルとの間あるいは左右のタイルの間がそれぞれの縁を前後に組み合わされるタイプのタイル）に適用して好適なものであるが、必ずしも相決りのタイルにしか適用できないというものではなく、少なくともタイル２０の端部に上受け部７の規制部３と下受け部６の規制部５と係合する部分例えば溝が存在すれば適用可能であることは言うまでもない。本明細書では、相決りのタイルに適用した実施形態を挙げて主に説明する。
【００３０】
このタイル取付用ブラケット１は、本実施形態の場合、１枚の金属板を連続的に曲げ加工することによって一体的に形成されている。即ち、水平方向ばね部８とレール本体４と上受け部７及び下受け部６は、１枚の金属板の折り曲げで一筆書きのように構成されている。ここで、金属板は、特定の材質に限定されるものではないが、例えばばね鋼としても広く使われているＳＵＳ３０４やその他のばね鋼材（ＳＵＰ材）、ＺＡＭ（溶融亜鉛・アルミニウム・マグネシウム合金メッキ鋼板／日鉄日新製鋼株式会社の登録商標）などのある程度のばね性を呈する高耐食性の鋼板の使用が好ましい。この鋼板は、折り曲げ加工のし易さとタイルを支持する強度及びばね性を呈する可撓性とを兼ね備える厚さ、例えばＳＵＳ３０４の場合には０．３ｍｍ〜１．０ｍｍ程度、ＺＡＭ（登録商標）の場合には０．３ｍｍ〜１．０ｍｍ程度とすることが好ましい。
【００３１】
上受け部７は、タイル下端２２を受け支える水平部２と、建物躯体の外壁面から一定間隔以上に離れないように規制する規制部（以下、上規制部３と呼ぶ）とで構成される。また、下受け部６は、例えば水平部２の先端縁を下向きに折り曲げる規制部（以下、下規制部５と呼ぶ）を備えることによって構成される。この下受け部６は、タイルと前後方向に係合して建物躯体の外壁面から一定間隔以上に離れないように規制する。
【００３２】
他方、レール本体４の下部には、タイル２０を裏面から表側に向けて付勢するばね部８が形成されている。ばね部８は、例えばレール本体４の一部を山形に折り曲げることで形成されている。
【００３３】
また、タイル取付用ブラケットレール１は、上述の如く１枚の金属板で形成するばかりで無く、複数の板材を用いて形成しても良い。例えば、図２に示すように、１枚の金属板でばね部８とレール本体４及び上受け部７を構成する水平部２と上規制部３とを連続的な曲げ加工で一連に形成する一方、他の金属板を上規制部３にかしめて下受け部６と下規制部５を形成するようにしても良い。この場合には、ばね部８とレール本体４及び上受け部７を形成する金属板は、剛性を必要とするため厚みのある金属板を折り曲げることとなるが、折り曲げ角度が最大で９０°となるので曲げ加工が容易となる。他方、下受け部６と下規制部５を形成する金属板は、逆向きに折り返される曲げ加工が必要となるが、半分程度の厚みの薄板を用いて重畳されることで強度を確保するようにしているので、曲げ加工自体は容易なものとなる。例えば、１ｍｍの厚みのステンレスを折り曲げて、レール本体４と爪状のばね部８と受け部２と上規制部３とを連続的に形成する一方、０．５ｍｍのステンレスを折り返して上規制部３に被せてかしめることによって、下規制部５を含む下受け部６を組み込むようにしても良い。尚、下受け部６は、水平部２と下規制部５とによって構成され、タイル上端２１を含む端部近傍を収めるスペースを確保する。
【００３４】
また、図示していないが、場合によっては、１枚の金属板でレール本体４と上受け部７（即ち、水平部２と上規制部３）とを連続的な曲げ加工で一連に形成したものと、他の金属板でをばね部８とレール本体４と下受け部６（即ち、水平部２と下規制部５）とを連続的な曲げ加工で一連に形成したものとを、予め溶接や接着、リベット締結などで一体化しても良いし、レール本体４部分で重ね合わせてリベット３１や締結用ビスによって縦胴縁あるいは下地に固着することで一体化するようにしても良い。
【００３５】
タイル取付用ブラケットレール１は、図１４に示すように、レール本体４の部分がリベット３１や締結用ビスによって縦胴縁３０あるいは下地に直接取り付けられるように設けられている。このレール本体４には、リベットあるいはビスを通すための孔１５が設けられている。この孔１５は、例えば図５あるいは図７に示すように、長尺なタイル取付用ブラケットレール１の場合には、例えば縦胴縁３０が配置される場合には、縦胴縁３０のピッチと同じ間隔で、あるいは少なくとも両端と中央にそれぞれ設けられることによって、強固に縦胴縁３０あるいは下地に取り付けられるように配慮されている。また、短尺なタイル取付用ブラケットレール１例えばタイル毎のタイル取付用ブラケットレール１とする場合には、両端に設けることで足りる。
【００３６】
また、下受け部６の規制部即ち下規制部５は、タイル２０を裏から押し出す水平方向ばね部８との間でタイル２０の上端２１の近傍を保持するため、ばね性を高めることが好ましい。例えば、図３に示すように、下規制部５の先端（下端）側を建物躯体側にオフセット（偏倚）させた構造としても良い。この場合、直角三角形をしているばね部８が変形し難いのに対して、下規制部５が変形し易い形状となるので、タイル２０の位置決めと固定がより確実なものとなる。
【００３７】
また、上規制部３と下規制部５とは、図７や図１１に示すように端から端まで連続して形成される場合に限られず、例えば図５に示すように断続的に形成されても良い。図５に示す実施形態の場合、水平部２の先端縁をフォーミング加工で山折り、谷折りに交互に折り返すことによって、上規制部３と下規制部５とが断続的に交互に形成される。
【００３８】
また、ばね部８は、場合によっては、図２あるいは図４及び図５に示すように、レール本体４の下端縁を例えば谷折りすることにより、建物躯体から離れる方向に斜めに起こした辺から成る爪のような形態で構成しても良い。この爪から成るばね部８は、タイル２０を押しつけて壁面側に押しつぶすことでばね性を発揮する。さらに、ばね部８は、図６及び図７あるいは図８に示すように、下端縁を下受け部６に向けてレ形に折り返した爪として構成しても良い。これらの爪から成るばね部８は、タイル取付用ブラケットレール１の全幅に連続的に形成しても良いが、長尺なタイル取付用ブラケットレール１の場合、図７に示すように、断続的に形成するようにしても良い。タイル２０に対して偏り無く付勢力を与えることができる配置であれば、連続的であると断続的であるとは問わない。
【００３９】
さらに、ばね部８は、図３に示すように、レール本体４の下端縁側を直角三角形状に折り曲げて、タイルの裏面２６を受け支えるようにしても良い。また、タイル２０の表面側でタイルの前面位置を規制する下規制部５についても、先端側を内側に向けて僅かに屈曲させまることによって構造的なばね性を強化させることで、規制板でタイルの上端付近を建物躯体側に押しつけるようにしても良い。この場合においても、ばね性のある規制板と折り返し部との間でがたつき無く固定することができる。
【００４０】
ばね部８は、上述の形状に限られるものでは無く、例えば図６に示すように反転するように下受け部６に向けて折り返される爪、あるいはさらには図８に示すようにタイル２０から離れる方向に湾曲した形状の爪とすることも可能である。この場合には、例えば図１６に示すように、タイル２０の凸部側端部２３に傾斜面が存在する場合にも、ばね部８が当接してタイル２０を前方に向けて押し出すように付勢する力を効率的に生み出すことができる。
【００４１】
さらには、ばね部８は、例えば図９あるいは図１３に示すように、レール本体４の下端縁寄りの部位を切り抜く切り起こしによって形成される爪によって構成するようにしても良い。切り起こしによって形成される爪状のばね部８は、必ずしても上下方向に配置されるものに限られず、場合によっては左右方向に配置されても良い。例えば、コの字形の切り抜きによりコの字形の爪が左右方向に並べて切り起こされる。この場合、レール本体の下端縁を前側へ折り返してフランジ１４を形成して、タイル２０の建物躯体側への位置規制を図るためのスペーサとして機能させることが好ましい。同時に、このフランジ１４は、リブとしても機能し、曲げ強度の確保を図ることができる。
【００４２】
また、ばね部８は、必ずしも図１〜図９あるいは図１３に示すように、金属板の一部を切り欠いてあるいは折り曲げて構成する必要はなく、別部材例えばゴム弾性を呈するガスケット１１で形成しても良い。ガスケット１１としては、耐久性、耐候性などに優れるゴム弾性を呈する材料であることが好ましく、特定の材料に限られないが、より好ましくは例えばエチレン・プロピレン・ジエンゴム（ＥＰＤＭ）の使用である。このガスケット１１は形状においても特定のものに限られものではないが、例えば図１０に示すような平坦面部分を有するＤ形の筒形とすることが好ましい。この場合、平坦面部分を接着面として利用し、図示していない接着剤や接着シールなどを用いて金属板・レール本体４に接着させることによって安定して保持させることができる。
【００４３】
ガスケット１１は、より好ましくはレール本体４の下端縁を折り曲げてスペーサを兼ねるフランジ１４を形成すると共にレール本体４の一部を切り起こした爪１３を設け、爪１３とフランジ１４との間にガスケット１１を接着剤や接着テープで接着させることで、剥離し難い取付構造とすることが好ましい。ここで、ガスケット１１の高さと爪１３及びフランジ１４の高さとは、ガスケット１１の高さの方が高く、爪１３及びフランジ１４にタイル２０が当たる前にガスケット１１と当接してガスケット１１を押しつぶすように設けられている。
【００４４】
上規制部３と下規制部５とは、同じ長さ（即ち高さ）に形成しても良いが、同じ長さである必要はなく、むしろ下規制部５の方が長く形成されることが好ましい。例えば、上受け部７にはタイル２０が直に載置されるので、上規制部３がタイル２０に当接する位置は自ずと定まり一定している。つまり、上規制部３は確実にタイルに当たる存在となり得る。また、上下のタイル取付用ブラケットレール１の間にタイルを装入する際に、下側のタイル取付用ブラケットレール１の上規制部３をタイル下端２２が乗り越えなければならないので、必要以上に高くすると好ましくない。他方、下規制部５は、嵌合されるタイルの上端２１と下受け部６の天井面たる水平部２との間にタイルを装入する際に下側のタイル取付用ブラケットレール１の上規制部３を乗り越えさせなければならないので、遊びとなる隙間が必要である。そして、タイル２０は下受け部６に装入後にタイル下端２２を下側のタイル取付用ブラケットレール１の上受け部７の上に密着させて受け支えられるため、タイル上端２１と水平部２との間には再び隙間が発生するため、下規制部５が確実にタイルに当たる存在となり得るには、長めに形成されることが好ましい。
【００４５】
また、上規制部３と下規制部５とは、図１〜図１２に示す実施形態では同じ位置で逆方向に折り曲げられることによって形成されているが、これに特に限られず上向きの上規制部３と下向きの下規制部５とが必要に応じて異なる位置に形成されることもある。例えば、図１３に示すように、上向きの上規制部３に対して下向きの下規制部５を奥側（つまり、建物躯体の壁面側）に形成しても良い。このオフセットした上下の規制部３，５は、タイル上端２１とタイル下端２２とでそれぞれの規制部３，５が係合する位置が異なるタイル（図１５のタイル下部参照）に適用する場合に好適である。例えば、相決り加工を施したタイルの凸部側端部２３と凹部側端部２４との間には、干渉を避けるための隙間３３が設定されるので、下向きの下規制部５を嵌合させる溝２７あるいは上向きの上規制部３を嵌合させる溝２５の研削位置あるいは押し出し加工時の位置が隙間３３の範囲内で適宜設定される。つまり、タイル２０の溝２５の位置は特定の位置に限られるものではなく、必要に応じて適宜変更しても良い。
【００４６】
さらに、上規制部３と下規制部５とは、内側に折り曲げる、あるいは外側に折り曲げることで、前後方向へのばね性をより高めるようにしても良い。例えば、図１９の上側に図示するタイル取付用ブラケットレール１に示すように、上向きの上規制部３が折り返されて下向きの下規制部５に連続する部分を含めて、奥側（つまり、建物躯体の壁面側）並びに前側（つまり、建物躯体の壁面から離れる方向側）に膨らむように形成しても良い。この上下の規制部３，５は、例えば相決り加工を施したタイル２０の凸部側端部２３と上のタイル２０の凹部側端部２４との間で、前後方向に広がって上のタイルと下のタイルとの間の前後への動きを拘束するように機能する。他方、図１９の下側に図示するタイル取付用ブラケットレール１に示すように、上規制部３と下規制部５とは、下向きに延びた下規制部５が折り返されて上向きの上規制部３側に延びる部分が奥側（つまり、建物躯体の壁面側）に傾き且つ上向きの上規制部３の位置で再度前側（つまり、建物躯体の壁面から離れる方向側）に傾斜するように略くの字形に膨らむように形成しても良い。この上下の規制部３，５においても、例えば相決り加工を施したタイル２０の凸部側端部２３と上のタイル２０の凹部側端部２４との間で、前後方向に広がるばね性を呈するので上のタイルと下のタイルとの間の前後への動きを拘束するように機能する。タイルの上下方向の寸法が大きくなると、上側が固定できても下側が不安定となり、後ろ（建物壁面側）へ引っ込んでしまう虞がある。そこで、上のタイルと下のタイルとの間の遊びを吸収してがたつきあるいは後退を防止するため、上下の規制部３，５そのものに角度をつけてばね効果を与えることで、上下のタイルの間の重なり部分の間に差し込むことによって、上側のタイルと下側のタイルの前後への動きを同時に拘束することができる。
【００４７】
また、図２０に示すように、下受け部６の下規制部５は、タイル２０の凸部側端部２３の表面と上段のタイル２０の凹部側端部２４の裏面とに同時に接触させて、タイル２０の凸部側端部２３と上段のタイル２０の凹部側端部２４との間で、前後方向に広がって上段のタイル２０と当該タイル２０との間の前後への動きを弾力的に拘束するように機能させるようにしても良い。例えば、図２０（Ａ）及び（Ｂ）に示すように、下規制部５は、フォーミング加工などで水平部２の先端縁の一部を下に折り曲げながら途中で内側へ折り返すと共に再び先端縁付近を外側に折り返して、外側に向けて略くの字形に膨らみ上段のタイル２０の凹部側端部２４の裏面と接する前側稜線部２８と当該タイル２０の凸部側端部２３の表面と接する後側稜線部２９とを備えるように形成されている。後側稜線部２９は、必ずしも設けることが要求されるものではないが、凸部側端部２３の表面に対して下規制部５が引っ掛かることなく滑動させ得るので、タイル２０を下受け部６に収めるときに障害となることを未然に防ぐ上で好ましい。他方、水平部２の先端縁の一部は上に折り曲げられて上規制部３が形成されている。
【００４８】
他方、タイル２０の裏面に押し当てられるばね部８も下規制部５と同様に、外側に向けて略くの字形に膨らみかつ先端縁付近が外側に折り返されている。このばね部構造の場合、通常のばね支持力が弱めであっても、建物躯体側へタイルが強く押されてばね部８が内側へ変形させられるときに折り返された先端縁付近が縦胴縁３０に当接することにより、タイルの支持力を高めるように機能させることができる。
【００４９】
上述のタイル取付用ブラケットレール１を用いる場合、タイル２０は、図２１に示すように、上受け部７の水平部２で上段のタイルの下こば２２の部分が受け支えられると共に、同レール１の上規制部３と下規制部５とによってタイル２０が保持されて前後方向の位置が固定される。つまり、外側に向けて略くの字形に膨らむ下規制部５によって、上段のタイル２０の凹部側端部２４の裏面が前方へ押し出されるように付勢される一方で、上規制部３によって上段のタイル２０の前方への移動が規制されるので、上段のタイル２０の下こば２２の部分が上規制部３に当たる位置に位置決めされて保持される。他方、下受け部６に挿入された凸部側端部２３は、下規制部５で前方から押されると共にばね部８で後方から押されることで、弾力的に挟持されて保持される。ここで、下規制部５は、タイル２０の凸部側端部２３の表面と上段のタイル２０の凹部側端部２４の裏面とに同時に前側稜線部２８，後側稜線部２９を接触させ、上段のタイルの凹部側端部２４で受け支えられた状態で先端の後側稜線部２９を凸部側端部２３の前面に押しつける。したがって、ばね部８との間でタイル２０の端部例えば凸部側端部２３を弾力的に挟み付けて支持することができる。このようにして、上のタイル２０と下のタイル２０との間の前後方向への動きを下規制部５と上規制部３とばね部８との協働によって拘束するので、上のタイル２０と下のタイル２０との間の遊びを吸収してがたつきを防止することができる。したがって、タイル２０は、上端及び下端を支える一組のタイル取付用ブラケットレール１によって、縦胴縁４あるいはその他の下地材に対して一定間隔を開けてがたつきなく保持される。
【００５０】
また、図２０に示す実施形態では、上規制部３と下規制部５とを独立した部位として交互に形成しているが、このことは本質的なことではなく、図２２に示すように、１枚のばね材例えばばね鋼板を連続的に曲げ加工することによって、レールの端から端まで連続して形成しても良いことは言うまでもない。
【００５１】
この実施形態のタイル取付用ブラケットレール１の場合も、図２０の実施形態のタイル取付用ブラケットレール１と同様に、タイル２０は、上端及び下端を支える一組のタイル取付用ブラケットレール１によって、縦胴縁４あるいはその他の下地材に対して一定間隔を開けてがたつきなく保持される。
【００５２】
さらに、下規制部５の先端の後側稜線部２９が押しつけられるタイルの表面例えば凸部側端部２３の表面には、粗面加工が施される（ギザギザを設ける）ことで規制部５の後側稜線部２９即ち爪を引っ掛け易くすることが好ましい。粗面としては、例えば図２４に示すように、縦断面半円形状の凸部（換言すれば、銀杏の葉形の溝）３７が連続的に形成されたものが好ましい。この場合、凸部（換言すれば、銀杏の葉形の溝）３７と下規制部５の後側稜線部２９との間に制動機構を構成することができる。この制動機構は、動きに逆らった抵抗を与えるものであり、下規制部５の後側稜線部２９が凸部３７の間の溝に嵌まり込んでタイル２０が持ち上げらないように抵抗を与え、タイル２０の持ち上がりを抑制する。他方、後側稜線部２９が凸部３７を乗り越えることでタイル２０の動きを許容するので、強い外力が作用したときにはタイル２０の動きを許容するが、そうでないときにはばねの力で動きが阻止される、即ち持ち上げられることがない。尚、図２４に例示するような凹凸の粗面は、押し出し成形によってタイル１が製造される湿式製法の場合、押し出しと同時に成形されるので、押し出し方向に貫通した溝・凸部３７となる。湿式製法は、水分を含んだ粘土状の素地原料を、押し出し成形機で板状に押し出して、所定の寸法に切断してタイルを成形するため、凸部（換言すれば、溝）３７も任意の断面形状とすることができる。
【００５３】
以上のように構成されたタイル取付用ブラケットレール１によれば、上受け部７によってタイル下端２２が受け支えられると共に建物躯体から一定距離以上離れるのが規制される一方、タイル上端２１の側では下規制部５によりタイル上端側が建物躯体から一定距離以上離れるのを規制されると共にタイル２０の裏面側からタイル２０を前（建物躯体から離れる方向）に押し出す水平方向ばね部としてのばね部８によりタイル２０の前面側を下規制部５に押しつけられることで摩擦抵抗を与えてタイル２０が持ち上がることを防ぐようにしている。さらに、図２１及び図２３のタイル壁面構造によれば、タイル２０の上下端部近傍に設置された一対のタイル取付用ブラケットレール１によって、タイル下こば２２が上受け部７で受け支えられると共に、上規制部３と下規制部５とでタイル２０の凸部側端部２３の表面と上段のタイル２０の凹部側端部２４の裏面とに同時に下規制部５の前側稜線部２８，後側稜線部２９を接触させて上段のタイルの凹部側端部２４で受け支えられた下規制部５の先端の後側稜線部２９をタイル２０の前方から押しつけ、ばね部８との間でタイル２０の端部例えば凸部側端部２３を弾力的に挟み付けて支持する。また、図２４のタイル壁面構造によれば、タイルの凸部側端部２３の表面の粗面（凸部３７）に下規制部５の後側稜線部２９が引っ掛かることで、タイル２０の持ち上げがさらに阻止される。
【００５４】
図６及び図７にタイル取付用ブラケットレールの他の実施形態を示す。このタイル取付用ブラケットレール１は、上受け部７にタイル上端２１を押さえつけて持ち上がり防止を図る鉛直方向ばね部をさらに備えたものである。本発明のタイル取付用ブラケットレール１においては、タイルの上部がばね部８によって裏から押されて下規制部５に押しつけられることで生ずる摩擦抵抗でタイルが上に持ち上がるのを防止していることから、鉛直方向ばね部が設けられることでより確実にはタイルの持ち上がりを防ぐことができる。
【００５５】
鉛直方向ばね部は、例えばばね性を有する爪９あるいはゴム弾性素材から成るガスケット１２などによって構成されている。本実施形態の場合、上受け部７の水平部２の一部を切り起こしてタイル上端２１に向けて突出する爪９を予め形成することによって、あるいはタイル２０を嵌め込んでから折り曲げられる爪９を設けることによって、一体的に構成されている。勿論、タイル２０の裏面２６側を前へ押し出す水平方向ばね部８と同様に、ゴム弾性素材例えばガスケット１２を介在させることで、常時タイル上端２１を押さえつける弾性力を付勢するような構造としても良い。ゴム弾性素材としてはＥＰＤＭなどの弾性素材ばかりでは無く、弾性接着剤のようなゴム弾性を保持し得る接着材を利用しても良い。これによって、タイル２０の製造誤差に起因するがたつきを吸収することができる。
【００５６】
垂直方向ばね部としての爪９は、予め折り曲げられていても良いし、タイルセット後に折り曲げるようにしても良い。本実施形態の場合、爪９は例えば切り起こしによって形成される。このため、水平部２に爪９を切り起こすと同時にその後が孔となるので、水切り孔を兼ねることとなる。これによって、タイルを伝わって流下する雨水が存在する場合には、水切り孔から下に落ちることとなる。
【００５７】
他方、図１０に示すように、別部材のガスケット１２を用いる場合には、タイル２０の上端（こば）２１に押し当てられるガスケット１２は、タイル２０の上端２１に押し当てられると共に受け支えられるので、タイル２０の上端２１で常時受け支えられることから、特に爪１３，１４のような保護部材が存在しなくともガスケット１２が脱落する虞が少ない。このため、ガスケット１２は接着剤や接着テープなどで接着させるだけで、剥離し難い取付構造とすることができる。
【００５８】
爪９あるいはガスケット１２などから成る鉛直方向ばね部は、タイル挿入時には変形してタイル２０の挿入を容易にすると共に、挿入後はタイル上端２１を押し下げてタイル下端２２が下のタイル取付用ブラケットレール１の上受け部７に密着させる。このため、タイル２０の脱落が防止される。また、爪９あるいはガスケット１２から成る鉛直方向ばね部にはバネ性があるため、仮りにタイル２０が上方に動いたとしても、直ちにタイル２０を下に押し下げるので下のタイル取付用ブラケットレール１から外れることもない。
【００５９】
尚、ガスケット１１，１２はタイル取付用ブラケットレール１の全幅に相当する長さの通し材としても良いが、タイル２０に対して偏在していなければ局部的に存在させても良い。即ち、タイル２０の裏面を均等に前へ押し出せるように分散配置されても良い。また、ガスケット１１，１２は、例えば図示の如き中空構造とすることにより、容易に弾性変形しやすいものとすることができるが、これに特に限られるものでは無く、中実構造であっても良い。
【００６０】
また、上述の実施形態のタイル取付用ブラケットレール１は、ステンレススティールあるいはＺＡＭ（溶融亜鉛・アルミニウム・マグネシウム合金メッキ鋼板／日鉄日新製鋼株式会社の登録商標）などの板材の曲げ加工品で構成した例を上げて主に説明したが、これに特に限られるものでは無く、例えばアルミニウム合金の押し出し成形品であっても良い。アルミニウム押し出し成形品の場合には、上述の金属板に比べてばね性に乏しい上に例えば１．５ｍｍ程度の厚みで形成されるため、一部を切り起こしてばねとすることは難しいことから、ガスケット１１，１２を用いることで、タイル２０の上端２１と裏面２６とを付勢する機構を構成するように設けられている。例えば図１２に示すように、矩形あるいはあり溝状の係合溝１０を押し出し加工の際に一体成形することで、ガスケット１１，１２のフランジ状の基部を嵌合させることが好ましい。ここで、アルミニウム押し出し成形品の場合には、アルマイト処理などで任意の色に着色することが容易であるため、タイル２０と同じ色にすることも可能である。このため、図１８に示すように、タイル２０の端部形状が相決り加工ではなく、端部が重ねられない場合でも、アルミニウム押し出し成形品がタイルと同系色で着色されていることでタイル取付用ブラケットレール１が目立たないようにできる。
【００６１】
タイル２０の形状並びに端部形態は特定のものに限られるものではないが、少なくともタイル２０の端部には上受け部７と下受け部６のそれぞれの上下の規制部３，５と係合する部分例えば凹凸や溝があることが望まれる。例えば、本実施形態の場合、図１４〜図１６に示すような、タイル２０の上端側と下端部が互いに組み合わされる凹凸、即ち「相決り（あいじゃくり）加工」と呼ばれる凹凸に形成されていることが好ましい。相決り加工は、例えば、図１４に示すように、タイルの上側の端部が凸部となる雄実（おざね。以下、凸部側端部２３と呼ぶ）に、下側の端部が凹部となる雌実（めざね。以下、凹部側端部２４と呼ぶ）にそれぞれ形成されて、凹部側端部２４の上に凸部側端部２３が重なるように組み合わせて用いられる。
【００６２】
上述のタイル取付用ブラケットレールを用いた乾式タイル施工法並びに乾式タイル壁面構造は、相決り（あいじゃくり）のタイル（上段のタイルと下段のタイルとの間あるいは左右のタイルの間がそれぞれの縁を前後に組み合わされるタイプのタイル）に適用して好適なものであるが、必ずしも相決りのタイルにしか適用できないというものではなく、少なくともタイル２０の端部に上受け部７の規制部３と下受け部６の規制部５と係合する部分例えば溝が存在すれば適用可能であることは言うまでもない。そして、本実施形態にかかる乾式タイル施工法並びに乾式タイル壁面構造は、タイル取付用ブラケットレール１を建物躯体２１の縦胴縁あるいはその他の下地材に予め取り付け、該タイル取付用ブラケットレール１の上受け部６の上規制部３と下受け部７の下規制部５とをタイルの上端及び下端の凹凸や溝に引っ掛けて、外壁材としてのタイル１を建物躯体２１に取り付けて外壁を構成するものである。即ち、例えば、図１４〜図１７に示すように、相決り加工の一方の端部例えば凸部側端部２３と凹部側端部２４の溝２５を設けることによって上下の規制部３，５を嵌合させることで係合させるようにしても良いし、例えば図１８に示すように、タイル上端２１とタイル下端２２とにそれぞれ溝２５，２７を設けることによって上下の規制部３，５を嵌合させることで係合させるようにしても良い。
【００６３】
また、タイル２０は上下の規制部３，５と係合する部分を除いて、その間の形状については特に限定されるものではなく、中空であったり、無垢材であったり、中間裏面側が抉られていたり、角部分の裏面側もフラット（垂直）であったり、あるいはテーパーが付されていても可能である。
【００６４】
次に、本発明にかかるタイル取付用ブラケットレール１を用いたタイル施工法の作業手順について説明する。
【００６５】
まず、建物躯体の外壁の図示しない下地に直接にまたは縦胴縁を介在させて、墨出しなどで予め決められた位置にタイル取付用ブラケットレール１を、例えばリベット止めあるいはビス止めにて取り付ける。例えば、図２１あるいは図２３に示すように、建物躯体３６の外壁に墨出しなどで予め決められた位置に縦胴縁３０を所定のピッチで、例えば高さ調整可能なボルト３３・ナット３４，３５にて取り付ける。この縦胴縁３０は、例えばハット形鋼板であり、コンクリート用アンカーナット３２を建物躯体３６に打ち込んだ上に調整ボルト３３と２個のナット３４，３５で挟み付けるようにして、不陸調整の上、固定するようにしている。タイル取付用ブラケットレール１は縦横に所定間隔を空けて必要数だけ配置される。
【００６６】
次に、上下のタイル取付用ブラケットレール１を１組として、それらの間にタイル２０を装入してタイル２０を取り付ける。タイル２０の取り付けは、横に並べながら下から上へと組み込まれる。例えば、図１４のタイルの場合、上側のタイル取付用ブラケットレール１の下受け部６にタイル２０の凸部側端部２３をタイル取付用ブラケットレール１の水平方向ばね部８のばねと下受け部６の下規制部５との間の空間に斜め前下から押し込み、その状態でタイル２０を持ち上げて下段のタイル取付用ブラケットレール１の上受け部７の上規制部３をタイル下端２２を乗り越えさせてから、下段のタイル取付用ブラケットレール１の上受け部７にタイル下端２２を落とし込むようにして嵌合させる。このタイル装着作業は極めて簡易且つ迅速に実施できる。そして、落とし込みによる嵌合によりタイル２０の下端１１はタイル取付用ブラケットレール１に受け支えられて係止される。それと同時に該タイル２０の上端２１は、上段のタイル取付用ブラケットレール１のタイル２０の裏面側から前に押し出す水平方向ばね部８と下受け部６の下規制部５とによって挟み付けられて押え付けられる。
【００６７】
同様にして、タイル２０を順次横に並べるようにして組み込む。組み込みが完了してから、上の段に移る。同じ手順で上段のタイル取付用ブラケットレール１に順次タイルを取り付けると、取り付けられたタイルの前垂れ部２４が下段のタイル２０の段部２３の手前側に重さなることでタイル取付用ブラケットレール１で固定されている部分を遮蔽する。そして、タイル２０は、タイル取付用ブラケットレール１により強固に固定される。
【００６８】
一組のタイル取付用ブラケットレール１の間に装入されるタイルは、下側のタイル取付用ブラケットレール１の上受け部７によってタイル下端２２が受け支えられると共に、上側のタイル取付用ブラケットレール１の下受け部６によってタイル上端２１付近が保持され、建物躯体から一定距離以上離れないように位置規制されて建物躯体に取り付けられる。そして、タイル２０に外力が作用しても動き難く、タイル取付用ブラケットレール１との接触による騒音や雑音を発生しない優れたタイル外壁面を得ることができる。即ち、水平方向ばね部８によって、摩擦抵抗が発生して、タイル２０が上に持ち上がることを防止できる。さらに、上からタイル２０を押し下げるための鉛直方向ばね部を構成する爪９あるいはガスケット１２が設けられれば、さらに安全性が高まる。また、タイル２０はタイル取付用ブラケットレール１によって脱落しないように保持されているが、タイル取付用ブラケットレール１に固着されていないので、タイル取付用ブラケットレール１が外気温の変化で伸縮してもタイル２０には何ら外力が及ぶことはない。
【００６９】
なお、上述の形態は本発明の好適な形態の一例ではあるがこれに限定されるものではなく本発明の要旨を逸脱しない範囲において種々変形実施可能である。例えば、上述の実施形態は建物躯体の下地の上に胴縁を介してレールを取り付ける例を上げて主に説明したが、これに特に限られず、下地材に直接ねじ止めなどでタイル取付用ブラケットレール１を固定するようにしても良い。
【符号の説明】
【００７０】
１  タイル取付用ブラケットレール
２  水平部
３  上受け部の規制部（上規制部）
４  レール本体
５  下受け部の規制部（下規制部）
６  下受け部
７  上受け部
８  タイルを前に押し出す水平方向ばね部
９  タイル上端を上から押さえる鉛直方向ばね部
１０  ブラケットを取り付ける係合溝
１１  ブラケット
１２  ブラケット
１３  ブラケットを保持する爪
１４  ブラケットを保持するフランジ
２８  前側稜線部
２９  後側稜線部
３７  タイル上端部の表面の粗面としての凸部（換言すれば、銀杏の葉形の溝）
【図１】
2020186637.tif 000003
【図２】
2020186637.tif 000004
【図３】
2020186637.tif 000005
【図４】
2020186637.tif 000006
【図５】
2020186637.tif 000007
【図６】
2020186637.tif 000008
【図７】
2020186637.tif 000009
【図８】
2020186637.tif 000010
【図９】
2020186637.tif 000011
【図１０】
2020186637.tif 000012
【図１１】
2020186637.tif 000013
【図１２】
2020186637.tif 000014
【図１３】
2020186637.tif 000015
【図１４】
2020186637.tif 000016
【図１５】
2020186637.tif 000017
【図１６】
2020186637.tif 000018
【図１７】
2020186637.tif 000019
【図１８】
2020186637.tif 000020
【図１９】
2020186637.tif 000021
【図２０】
2020186637.tif 000022
【図２１】
2020186637.tif 000023
【図２２】
2020186637.tif 000024
【図２３】
2020186637.tif 000025
【図２４】
2020186637.tif 000026